(57)【要約】【課題】ＳＮＤＭを利用した誘電体記録再生に関し、トラッキング制御やアドレスサーチ制御等の制御が安定で精度良く行うことが可能な、シンプルで製造が容易な誘電体記録再生装置に用いられるピックアップ装置を提供する。【解決手段】ピックアップ装置５０ａは、アーム５１と、その先端部に設けられたジンバル保持部５２と、ジンバル保持部５２に保持され探針１１がその中央部に設定されているジンバル５３と、回転軸５４を中心にアーム５１を回動させる回転型のモータ５５ａを備えて構成される。アーム５１の先端に設けられた探針１１はモータ５５ａの回動によって誘電体記録媒体１の直径方法に回動され、トラッキング制御やトラックアクセス制御が正確で速やかに行われる。【選択図】　　図１
2004046933.tif 000002
【特許請求の範囲】
【請求項１】
誘電体材料を記録媒体とする誘電体記録再生装置のピックアップ装置であって、
前記誘電体材料に電界を印加する第一の電極と、
前記第一の電極を保持する電極保持部材と、
前記電極保持部材を搭載するアーム部と、
前記アーム部を回動させる回動機構と
を備えることを特徴とするピックアップ装置。
【請求項２】
前記電極保持部材はジンバル構造であること
を特徴とする請求項１に記載のピックアップ装置。
【請求項３】
前記電極保持部材は導電性部材で形成され、且つ、前記電極保持部材の前記アーム部先端への搭載は絶縁性部材を介して行われること
を特徴とする請求項１又は２に記載のピックアップ装置。
【請求項４】
前記電極保持部材は前記第一の電極と一体として形成されていること
を特徴とする請求項１から３のいずれか一項に記載のピックアップ装置。
【請求項５】
前記絶縁性部材の前記誘電体記録媒体に対向する面に、前記第一の電極から前記誘電体記録媒体に印加される高周波電界が戻るための第二の電極を設けること
を特徴とする請求項３に記載のピックアップ装置。
【請求項６】
前記電極保持部材は絶縁性部材で形成されていること
を特徴とする請求項１又は２に記載のピックアップ装置。
【請求項７】
前記電極保持部材の周囲に前記第一の電極から前記誘電体記録媒体に印加される高周波電界が戻るための第二の電極を設けること
を特徴とする請求項６に記載のピックアップ装置。
【請求項８】
前記第二の電極としてアーム部の先端部が用いられること
を特徴とする請求項７に記載のピックアップ装置。
【請求項９】
前記電極保持部材には複数の第一の電極が設けられていること
を特徴とする請求項６から９のいずれか一項に記載のピックアップ装置。
【請求項１０】
前記第一の電極の近傍に、
前記第一の電極の直下の前記誘電体記録媒体の容量とで共振回路を形成するインダクタと、
前記共振回路の共振周波数で発振する発振器と
を備えること
を特徴とする請求項１から９のいずれか一項に記載のピックアップ装置。
【請求項１１】
前記回動機構の回動軸を介し、前記ヘッド部とは反対側に前記発振器を備えること
を特徴とする請求項１から９のいずれか一項に記載のピックアップ装置。
【請求項１２】
前記回動機構の回動軸を介し、前記電極保持部材とは反対側の前記アーム部に錘を設けること
を特徴とする請求項１から１１のいずれか一項に記載のピックアップ装置。
【請求項１３】
前記回動機構は回転型のモータであること
を特徴とする請求項１から１２のいずれか一項に記載のピックアップ装置。
【請求項１４】
前記回動機構は直線移動型のモータであること
を特徴とする請求項１から１２のいずれか一項に記載のピックアップ装置。
【請求項１５】
前記第一の電極の先端は、前記電極保持部材の前記誘電体記録媒体と対向する面より突出しないこと
を特徴とする請求項１から１４のいずれか一項に記載のピックアップ装置。
【請求項１６】
前記電極保持部材の、前記誘電体記録媒体の移動方向前端部は傾斜させた形状であること
を特徴とする請求項１から１５のいずれか一項に記載のピックアップ装置。
【請求項１７】
当該ピックアップ装置は、走査型非線形誘電体測定法に基づき、前記誘電体材料に情報を記録し、再生する手段を備えること
を特徴とする請求項１から１６のいずれか一項に記載のピックアップ装置。
【発明の詳細な説明】
【０００１】
【発明の属する技術分野】
本発明は、誘電体の微小領域に高密度で情報を記録し再生する誘電体記録再生装置に用いられるピックアップ装置の技術分野に属する。
【０００２】
【従来の技術】
従来より高密度大容量でランダムアクセスが可能な記録再生装置として、光ディスク装置やＨＤＤ（Ｈａｒｄ　Ｄｉｓｃ　Ｄｒｉｖｅ）装置が知られている。また、近年、誘電体材料をナノスケールで分析するＳＮＤＭ（ＳｃａｎｎｉｎｇＮｏｎｌｉｎｅａｒ　Ｄｉｅｌｅｃｔｒｉｃ　Ｍｉｃｒｏｓｃｏｐｙ：走査型非線形誘電率顕微鏡）を利用した記録再生の技術について、本願発明者等によって提案されているところである。
【０００３】
光記録はレーザを光源とした光ピックアップを用い、ディスク表面のピット（凹凸）や相変化媒体の結晶相を形成してデータを記録し、アモルファス相の反射率の違い、或いは光磁気効果を利用してデータの再生を行う。しかしながらピックアップは大きく高速読み出しに不適であることや、記録ピットの大きさは光の回折限界で規定され、５０Ｇｂｉｔ／ｉｎｃｈ２が限界とされる。
【０００４】
また、ＨＤＤに代表される磁気記録の長手記録では近年、ＧＭＲ（ＧｉａｎｔＭａｇｎｅｔｉｃ　Ｒｅｓｉｓｔａｎｃｅ）によるＭＲヘッドが実用化されており、更に垂直磁気記録を用いることで光ディスク以上の記録密度が期待されているが、磁気記録情報の熱揺らぎや符号反転部分でのブロッホ壁の存在、更にこれらを考慮したパターンドメディアを用いても記録密度は１Ｔｂｉｔ／ｉｎｃｈ２が限界とされている。
【０００５】
ＳＮＤＭは強誘電体材料の非線形誘電率を測定することで強誘電体ドメインの正負を判別できる。更にＡＦＭ（Ａｔｏｍｉｃ　Ｆｏｒｃｅ　Ｍｉｃｒｏｓｃｏｐｙ）等に用いられる先端に微小な探針を設けた導電性のカンチレバー（プローブ）を用いることで、サブナノメートルもの分解能を有することがわかっている。ＳＮＤＭはプローブとこれらに接続されたインダクタ及び発振器、更に探針直下の誘電体材料の容量と探針先端に近接して配置され、探針先端から誘電体材料を通過した交番電界が戻るためのリターン電極によって共振回路を形成していた。
このように従来のＳＮＤＭは分析装置として設計されたものであり、リターン電極は探針先端を取り囲むように設置された外形７ｍｍ、内径３ｍｍ、厚さ０．５ｍｍ程度の金属導体のリングが用いられてきた。
【０００６】
【発明が解決しようとする課題】
しかしながら、このようなＳＮＤＭでは、特段に記録再生装置としての観点から開発がなされたものではないので、プローブが大きい、或いは組み立てが煩雑になる等の課題があり、また、データ転送レートを向上させるためにはプローブを複数備えるとすると、一層、煩雑さが増大することになる。
【０００７】
従って本発明は、誘電体記録再生装置に用いられ、誘電体記録媒体にデータを記録し再生する記録再生ヘッドを搭載するピックアップ装置であって、シンプルな構造で、製造が容易であり、量産に適したピックアップ装置の提供を課題とする。
【０００８】
【課題を解決するための手段】
本発明のピックアップ装置は上記課題を解決するために、誘電体材料を記録媒体とする誘電体記録再生装置のピックアップ装置であって、前記誘電体材料に電界を印加する第一の電極と、前記第一の電極を保持する電極保持部材と、前記電極保持部材を搭載するアーム部と、前記アーム部を回動させる回動機構とを備える。
【０００９】
本発明のピックアップ装置によれば、誘電体材料に誘電体材料の抗電界以上の電界を印加して分極方向を定め、データに対応させて記録し再生する誘電体記録媒体に対して、記録再生ヘッドの位置決めやトラッキングを行うため、記録再生ヘッドを搭載し、回動手段によって制御する装置である。本ピックアップ装置は回動機構の回動軸を中心として回動するアームの先端部に第一の電極である探針と、探針を保持する電極保持部材とを設ける。誘電体記録媒体のトラックに対して直角方向に記録再生ヘッド、即ち探針はスイングし、トラックサーチやトラッキングサーボが行われる。このように、誘電体記録用のピックアップ装置を、比較的シンプルな構造により実現できる。そして、このようなピックアップ装置は、製造或いは量産についても比較的容易に行える。
【００１０】
本発明のピックアップ装置はトラックが同心円状或いはスパイラル状に設けられたディスク状の誘電体記録媒体や、直線状に設けられた矩形状の誘電体記録媒体の何れにも適用される。尚、電界を印加する電極の形状として、針状のものや、カンチレバー状等のものが具体的な構造として知られる。これらの形状を有する電極を総称して本願では適宜「探針」と記す。
【００１１】
本発明のピックアップ装置の一態様では、前記電極保持部材はジンバル構造である。
【００１２】
この態様によれば、探針をジンバルの中央に固定し、誘電体記録媒体の記録面と基本的に平行の面を維持する。ジンバルは上下方向、ピッチ方向、ロール方向に変形し、誘電体記録媒体の記録面の面ブレや組み立てに伴う傾きを吸収するものであって、探針のトラッキングの制御には高い追随生を有する形状である。
【００１３】
本発明のピックアップ装置の他の態様では、前記電極保持部材は導電性部材で形成され、且つ、前記電極保持部材の前記アーム部先端への搭載は絶縁性部材を介して行われる。
【００１４】
この態様によれば、探針と電極保持部材はアーム部に対して電気的な絶縁性が確保される。また、電極保持部材は導電性部材であるため、極めて小さい探針に対する電気的信号の授受は電極保持部材を介して行うことが可能である。
【００１５】
本発明のピックアップ装置の他の態様では、前記電極保持部材は前記第一の電極と一体として形成されている。
【００１６】
この態様によれば、微小な探針を電極保持部材と共に同一の導電材料から作成されるので、探針の形状維持や取り付けが高精度で容易に行われる。
【００１７】
本発明のピックアップ装置の他の態様では、前記絶縁性部材の誘電体記録媒体に対向する面に、前記第一の電極から印加される高周波電界が戻るための第二の電極を設ける。
【００１８】
この態様によれば、電極保持部材をアーム部に取り付けるための絶縁性の部材に、探針から印加される高周波電界が戻るためのリターン電極を設ける。リターン電極は導電性薄膜の形成技術で作成可能である。このリターン電極とアーム部との導通性を取ることで、アーム部をリターン電極の一部として扱うことができる。
【００１９】
本発明のピックアップ装置の他の態様では、前記電極保持部材は絶縁性部材で形成される。
【００２０】
この態様によれば、ジンバルを樹脂材等の絶縁性部材で作成する。これによりジンバルの中央に設けられる探針のアーム部に対する絶縁性が確保される。従ってアーム部をリターン電極として用いることが可能となる。
【００２１】
本発明のピックアップ装置の他の態様では、前記電極保持部材の周囲に前記第一の電極から前記誘電体記録媒体に印加される高周波電界が戻るための第二の電極を設ける。
【００２２】
この態様によれば、ジンバルをアームに取り付ける絶縁性部材の、ジンバルの周囲に探針のから印加される高周波電界が戻るリターン電極が設けられる。
【００２３】
本発明のピックアップ装置の他の態様では、前記第二の電極としてアーム部の先端部が用いられる。
【００２４】
この態様によれば、導電性材料で構成されたアームに対して、ジンバルが取り付けられるアームの先端に第二の電極を一体として構成する。この場合、必ずしもジンバルを取り囲む必要はなく、アームの先端の大面積部分が等価的にリターン電極となるように形状が決められる。
【００２５】
本発明のピックアップ装置の他の態様では、前記電極保持部材には複数の第一の電極が設けられる。
【００２６】
この態様によれば、同時に複数の記録トラックに対して記録再生動作を行うことができるので、データの転送レートが向上する。また、ジンバルを絶縁性部材で形成することで、探針間の電気的絶縁性は確保される。また、各々の探針から印加される高周波電界の戻る電極は接地した共通のリターン電極が用いられる。例えば接地されたアームの先端部がリターン電極として好適である。
【００２７】
本発明のピックアップ装置の他の態様では、前記第一の電極の近傍に、前記第一の電極の直下の前記誘電体記録媒体の容量とで共振回路を形成するインダクタと、前記共振回路の共振周波数で発振する発振器とを備える。
【００２８】
この態様によれば、記録データとなる誘電体の分極状態に対応した容量と付加したインダクタとで共振回路が形成され、その共振周波数で発振する発振器が極めて小型にしてアーム部上に設けられ、容量で変調されたＳ／Ｎ比の良い発振信号、即ちＦＭ変調された信号が得られる。
【００２９】
本発明のピックアップ装置の他の態様では、前記回動機構の回動軸を介し、前記ヘッド部とは反対側に前記発振器を備える。
【００３０】
この態様によれば、アームの重心は回転軸に近い位置に設定されることになり、回転モーメントが小さくなるのでアームの制御性が向上すると共に、装置が傾いた状態で使用されても、重力によって生じるアームの不要の回転力は小さく、安定性が向上する。また、制御のための消費電力は少なくなる。
【００３１】
本発明のピックアップ装置の他の態様では、前記回動機構の回動軸を介し、前記電極保持部材とは反対側の前記アーム部に錘を設ける。
【００３２】
この態様によれば、アームの重心は回転軸上に設定することが可能となり、回転モーメントが最も小さくなるので制御性が向上する。錘はアームに対する取り付け位置が調節可能な構成にすることで、ジンバル、インダクタ、発振器等を取り付けた後で、アーム全体の重心が正確に回転軸上に来るように設定可能となる。また、装置が傾いた状態で使用されても、重力によって生じるアームの不要の回転力は発生せず、安定性が向上すると共に、制御のための消費電力は更に少なくなる。
【００３３】
本発明のピックアップ装置の他の態様では、前記回動機構は回転型のモータである。
【００３４】
この態様によれば、アーム部の回転軸上に回転型のモータ軸を一致させて配置される。このモータは所定の回転角の範囲内で、トラックサーチやトラッキングサーボの制御信号に基づき往復の回転運動となるように制御される。汎用のＤＣモータの使用が可能である。
【００３５】
本発明のピックアップ装置の他の態様では、前記回動機構は直線移動型のモータである。
【００３６】
この態様によれば、アーム部の回転軸を中心として探針とは反対側に、所謂リニアモータが設けられる。このモータは平行な磁界中に置かれたコイルに、流す電流の大きさと方向で可動部の移動制御が行われ、比較的簡単な駆動機構である。
このモータによってアームは所定の範囲内で、トラックサーチやトラッキングサーボの制御信号に基づき往復運動となるように制御される。
【００３７】
本発明のピックアップ装置の他の態様では、前記第一の電極の先端は、前記電極保持部材の前記誘電体記録媒体と対向する面より突出しない配置である。
【００３８】
この態様によれば、探針は電極保持部材により保護されると共に、誘電体記録媒体が探針によって損傷を受けることを防止する。
【００３９】
本発明のピックアップ装置の他の態様では、前記電極保持部材の、前記誘電体記録媒体の移動方向前端部は傾斜させた形状である。
【００４０】
この態様によれば、誘電体記録媒体が回転することにより生じる空気流を、電極保持部材と誘電体記録媒体との間に整った流れとして取り込めるので、ジンバルの姿勢を安定化させ、探針の安定したトレースに貢献する。
【００４１】
本発明のピックアップ装置の他の態様では、当該ピックアップ装置は、走査型非線形誘電体測定法に基づき、前記誘電体材料に情報を記録し、再生する手段を備える。
【００４２】
この態様によれば、特に再生にはＳＮＤＭの技術を適用する。ＳＮＤＭ再生技術に関しては本願発明者の長康雄により、応用物理第６７巻、第３号、ｐ３２７（１９９８）に詳しく紹介されている。或いは本願出願人らにより出願された特許願２００１−２７４３４６号、特許願２００１−２７４３４７号等にも、詳述されている。即ち、誘電体上を探針が走査し、誘電体の分極状態を検出するものであって、その分極方向に対応した容量が検出され、記録されたデータに対応する。また、探針から誘電体、或いは誘電体に形成した下部電極から探針に電界を印加し分極を所定の方向とすることでデータの記録が行われる。極めて高密度の記録が可能となる。尚、探針は記録用、再生用の単独の用途に限らず、記録再生用として共用可能である。
【００４３】
本発明のこのような作用、及び他の利得は次に説明する実施の形態から明らかにされる。
【００４４】
【発明の実施の形態】
本発明に係わるピックアップ装置の実施形態について図１〜図３を参照して説明する。ここで、図１はピックアップ装置の、回転型のモータを用いた構成例を示す図であって、同図（ａ）はその平面図であり、同図（ｂ）はその側面図である。また、図２はピックアップ装置の、リニア型のモータを用いた構成例を示す図であって、同図（ａ）はその平面図であり、同図（ｂ）はその側面図である。更に、図３はピックアップ装置の先端部を示す図であって、同図（ａ）はその拡大した図であり、同図（ｂ）は探針保持部を絶縁体で形成した（ａ）のＡ−Ａ断面図であり、同図（ｃ）は探針と探針保持部を一体として形成した（ａ）のＡ−Ａ断面図である。
【００４５】
図１に示すようにピックアップ装置５０ａは、アーム５１と、その先端部に設けられたジンバル保持部５２と、ジンバル保持部５２に保持されるジンバル５３と、回転軸５４を中心にアーム５１を回動させる回転型のモータ５５ａを備えて構成される。探針１１はジンバル５３の中央部に設定されている。同図では探針１１は一本であるが、ジンバル５３が絶縁材で形成されていて、探針間の絶縁性が確保できれば、複数本設けることは可能である。
【００４６】
ピックアップ装置５０ａは誘電体記録媒体１の周辺部のベース５７にモータ５５ａを固定して配置される。アーム５１はモータ５５ａにより軸５４を中心として矢印Ｒ１で示す方向、即ち誘電体記録媒体１の直径方法に回動される。また、誘電体記録媒体１の回転方向を矢印Ｒ２の方向とすると、アーム５１は矢印Ｒ２の方向に倣う方向にアームの長手方向が一致して設定される。
【００４７】
アーム５１は、例えばアルミ等の軽い部材で構成されていて、高速応答性に備える。また、強度を確保するために高精度の曲げ加工等がなされる。先端部はジンバル保持部５２を固定する構造と、後部には軸５４に固定する構造を備える。アーム５１はトラッキング制御信号やトラックアドレス信号等に基づいて矢印Ｒ１の方向に移動し、探針１１のトラッキング制御や位置決め制御がなされる。
【００４８】
ジンバル保持部５２は、ジンバル５３を装着しアーム５１に固定する。また、ジンバル５３とジンバル保持部５２を絶縁部材によって一体成形されたものであっても良い。
【００４９】
ジンバル５３は、探針１１をその中央に固定し、誘電体記録媒体１の記録面と基本的に平行の面を維持する。ジンバル５３は上下方向、ピッチ方向、ロール方向に変形し、誘電体記録媒体１の記録面の面ブレや組み立てに伴う傾きを吸収し、一方ではトラッキングの制御には高い追随生を有する形状である。
【００５０】
回転軸５４は、アーム５１を固定し、アーム５１の回動の中心となる。モータとして回転型のモータの場合はそのモータの回転軸が直接アームの回転軸として用いられる。
【００５１】
また、図２に示すようにピックアップ装置５０ｂは、アーム５１を回転させるためにリニア型のモータ５５ｂを用いた構成であって、回転軸５４はベース５７上にモータ５５ｂと共に固定される。その他の構成要素と作用、動作は上述したピックアップ装置５０ａと同様である。
【００５２】
次にジンバルとそれを保持する周辺構造について図３を参照して説明する。まず、ジンバル５３は図３（ａ）に示すように、探針１１が固定される中央部５３ａと、ジンバル保持部５２に装着される周辺部５３ｂと、それらの間の連結部５３ｃとで構成される。
【００５３】
図３（ｂ）はジンバル５３が絶縁体で形成され、ジンバル保持部５２が導電体で形成されている場合を示し、探針１１はジンバル保持部５２やアーム５１とから電気的に絶縁される。このジンバル保持部５２を接地することで、探針１１から印加される電界が戻るリターン電極として用いることができる。また、ジンバル保持部５２の、誘電体記録媒体１が回転してくる矢印Ｒ２に対向する端面に傾斜を持たせることで空気の流れを整え、探針１１のトレースを安定にする。
【００５４】
また、図３（ｃ）はジンバル５３と探針１１とが導電体により一体形成され、ジンバル保持部５２が絶縁体で形成されている場合であって、探針１１及びジンバル５３はアーム５１とから電気的に絶縁される。ジンバル保持部５２には、その誘電体記録媒体１に対向する面に、ジンバル５３を囲うように薄膜導電体を設ける。この薄膜導電体を接地することで探針１１から印加される高周波電界が戻るリターン電極１２として用いることができる。また、ジンバル保持部５２の、誘電体記録媒体１が回転してくる矢印Ｒ２に対向する端面に傾斜を持たせることで空気の流れを整え、探針１１のトレースを安定にする。
【００５５】
（ピックアップ装置の第一実施例）
ピックアップ装置の第一実施例について図４を参照して説明する。本実施例は上述したピックアップ装置に、データを記録再生する際の発振器及びその周辺回路素子を搭載したものである。
【００５６】
図４に示すように探針１１ａの直下の誘電体記録媒体１の分極状態に応じた容量Ｃｓと共振回路を構成するインダクタＬと、容量ＣｓとインダクタＬとで形成される共振周波数で発振する発振器１３がピックアップ装置５０ｃの先端部に設けられる。この共振周波数は、例えば１ＧＨｚ程度である。
【００５７】
尚、回転型のモータ５５ａに換わってリニア型のモータを用いてよいことは当然である。また、図４でカンチレバー型の探針１１ａを示しているが、針状の探針を用いても良いことは当然である。
【００５８】
（ピックアップ装置の第二実施例）
ピックアップ装置の第二実施例について図５を参照して説明する。本実施例は上述したピックアップ装置に、データを記録再生する際の発振器及びその周辺回路素子を搭載したものである。図５に示すように探針１１ａの直下の誘電体記録媒体１の分極状態に応じた容量Ｃｓと共振回路を構成するインダクタＬがピックアップ装置５０ｄの先端部に設けられる。また、容量ＣｓとインダクタＬとで形成される共振周波数で発振する発振器１３がピックアップ装置５０ｄの先端部とは回転軸５４を挟んで反対側に設ける。
【００５９】
ピックアップ装置５０ｄの重心は回転軸５４に近い位置に設定されることになり、アームの制御性が向上すると共に、装置が傾いた状態で使用されても、重力により生じる不要の回転力は小さく、安定性が向上する。尚、回転型のモータ５５ａに替わってリニア型のモータを用いてよいこと、カンチレバー型の探針１１ａに替わって針状の探針を用いても良いことは当然である。
【００６０】
（ピックアップ装置の第三実施例）
ピックアップ装置の第三実施例について図６を参照して説明する。本実施例は上述したピックアップ装置に、データを記録再生する際の発振器及びその周辺回路素子、並びにアームの重心位置を調節する錘、即ちカウンターウェイトを搭載したものである。図６に示すように探針１１ａの直下の誘電体記録媒体１の分極状態に応じた容量Ｃｓと共振回路を構成するインダクタＬ、及び容量ＣｓとインダクタＬとで形成される共振周波数で発振する発振器１３が、ピックアップ装置５０ｅの先端部に設けられる。また、カウンターウェイト５６がピックアップ装置５０ｅの先端部とは回転軸５４を挟んで反対側に設ける。このカウンターウェイト５６はピックアップ装置５０ｅの重心が回転軸５４上になるように、その重さ、取り付け位置が決定され装着される。
【００６１】
従って、ピックアップ装置５０ｅの回転部分の重心を回転軸５４と一致させることが可能となり、更にアームの制御性が向上する。また、装置が傾いた状態で使用されても、重力による不要の回転力は生じないので、携帯による使用等にも一層、好適となる。
【００６２】
本発明のピックアップ装置によりデータの記録再生が行われる誘電体記録媒体の例について図７を参照して説明する。図７（ａ）に示すように誘電体記録媒体１はディスク形態の誘電体記録媒体であって、センターホール４と、センターホール４と同心円状に内側から内周エリア１０１、記録エリア１０２、外周エリア１０３を備えている。
【００６３】
内周エリア１０１、記録エリア１０２、外周エリア１０３は一様な誘電体材料で形成されていて、その分極方向は記録エリア１０２が上方向、即ち＋面であるとすると内周エリア１０１及び外周エリア１０３は下方向、即ち−面であるとする。これらの方向は逆であっても良い。
【００６４】
記録エリア１０２はデータを記録する領域であって、トラックやトラック間のスペースを有し、また、トラックやスペースには記録再生にかかわる制御情報を記録するエリアが設けられている。また、内周エリア１０１及び外周エリア１０３は誘電体記録媒体１の内周位置及び外周位置を認識するために用いられる。
【００６５】
また、図７（ｂ）に示すように誘電体記録媒体１は、基板１５の上に電極１６が、また、電極１６の上に誘電体材料１７が積層されて形成されている。内周エリア１０１、記録エリア１０２、外周エリア１０３は夫々、矢印で示す方向に分極されている。
【００６６】
基板１５は例えばＳｉであり、その強固さと化学的安定性、加工性等において好適な材料である。電極１６は記録再生ヘッドの探針１１との間で電界を発生させるためのもので、誘電体材料１７に誘電体材料１７の抗電界以上の電界を印加することで分極方向を決定する。データに対応して分極方向を定めることで記録が行われる。
【００６７】
誘電体材料１７は、例えば強誘電体であるＬｉＴａＯ３を用い、分極の＋面と−面が１８０度のドメインの関係であるＬｉＴａＯ３のＺ面に対して記録が行われる。他の誘電体材料を用いても良いことは当然である。
【００６８】
（本発明のピックアップ装置を用いた誘電体記録再生装置）
本発明に係わるピックアップ装置を用いた誘電体記録再生装置の例について、図８を参照して説明する。
【００６９】
誘電体記録再生装置１０に用いられるピックアップ装置５０ｅは、アーム５１と、図３に示すジンバル保持部５２と、回転軸５４と、モータ５５ａと、カウンターウェイト５６とを備え、また、探針１１と、インダクタＬと、発振器１３とが備わる。また、リターン電極１２及びジンバル５３はジンバル保持部５２に設定される。尚、リターン電極１２はアーム５１の先端部を兼用するようにしてもよい。
【００７０】
探針１１は、導電性の部材、或いは絶縁性部材に導電性膜を被覆したものであり、誘電体材料に対向する先端部は所定の半径を有する球状である。この半径は誘電体材料に記録データに対応して形成される分極の半径を決める大きな要素であり、記録密度を決定するので、１０ｎｍオーダーの極めて小さいものである。この探針１１に電圧を印加して誘電体材料に所定方向に分極した領域を形成してデータを記録し、一方、分極に対応した容量に基づいて記録されているデータをピックアップする。
【００７１】
リターン電極１２は、探針１１から誘電体材料に印加した電界が戻る電極であって、探針１１を取り巻くように設けられている。
【００７２】
インダクタＬは、探針１１とリターン電極１２との間に設けられていて、例えばマイクロストリップラインで形成される。インダクタＬと容量Ｃｓとで共振回路が構成される。この共振周波数ｆ＝１／２π√ＬＣｓは例えば１ＧＨｚ程度になるようにインダクタＬのインダクタンスが決定される。ここで、発振周波数ｆに対して影響を与えるのは容量Ｃｓの他にいわゆる浮遊容量Ｃ０が影響を与えることは言うまでもない。ただし、本発明においては記録再生ヘッドとしての構成を浮遊容量をも考慮してコンパクトに配置する構成としているために、ＳＮＤＭによる信号再生時にはＣ０は事実上定数と見なすことができる。信号再生においてｆを変化させるのはＣｓの容量変化ΔＣｓであるため、ここでは簡略的に共振周波数をＣｓとＬの関数として表現したが、実際にはＣｓはＣ０を含んでおり、ここでのＣｓはＣｓ＋Ｃ０の意味合いを有するものである。
【００７３】
発振器１３は、インダクタＬと容量Ｃｓとで決定される周波数で発振する発振器である。その発振周波数は容量Ｃｓの変化に対応して変化するものであり、従って記録されているデータに対応した分極領域によって決定される容量Ｃｓの変化に対応してＦＭ変調が行われる。このＦＭ変調を復調することで記録されているデータを読み取ることができる。
【００７４】
記録再生の信号処理は記録再生時の入力信号を切り替えるスイッチ３０により記録時には記録信号入力部３１と交流信号発生装置３２が接続され、誘電体記録媒体２０の電極１６に供給される。一方、再生時には交流信号発生装置３２だけが接続される。
【００７５】
記録時には記録信号入力部３１からの記録信号が交流信号発生装置３２の交流信号に重畳されて電極１６に供給され、探針１１と電極１６の間の電界によって誘電体材料１７の探針１１直下の領域の分極方向が決定され、その分極方向が固定されて記録データとなる。このとき発振器１３はインダクタＬと容量Ｃｓで決定される共振周波数で発振し、容量Ｃｓによってその周波数が変調される。このＦＭ変調波はＦＭ復調器３３で復調され検波器３４に入力される。また、検波器３４には交流信号発生装置３２からの交流信号が入力され、その信号を基準としてＦＭ復調器３３で復調された信号の同期検波が行われ、記録されたデータが再生される。即ち、記録しながら記録状態を監視することが可能である。
【００７６】
再生時には記録信号入力部３１はスイッチ３０により切り離され、交流信号のみが電極１６に供給さる。既にデータに対応して分極されている領域の容量ＣｓとインダクタＬとで形成される共振周波数で発振器１３は発振する。従って発振信号は容量ＣｓによりＦＭ変調がなされ、この信号がＦＭ復調器３３で復調され検波器３４に入力される。また、検波器３４には交流信号発生装置３２からの交流信号が入力され、その信号を基準としてＦＭ復調器３３で復調された信号の同期検波が行われ、記録されたデータが再生される。
【００７７】
上述した記録及び再生時においてはＦＭ復調器３３で復調された信号から、装置を制御するためのトラッキングエラー信号やトラックアドレスが検出される。トラッキングエラー信号の検出はトラッキングエラー検出部３５で行われ、検出したトラッキングエラー信号がモータ５４に入力されてトラッキング制御がなされる。また、トラックアドレスはトラックアドレス検出部３６で検出され、そのトラックアドレスを参照しながらピックアップ装置により探針１１を目的のトラック位置に移動させる。
【００７８】
尚、記録信号及び交流信号は探針１１側から入力することも可能であるが、発振器１３に対する信号の漏れ込みを防ぐために、フィルタを設ける必要がある。このときは電極１６が接地される。また、探針１１が複数本であることきはこの形態をとる必要がある。
【００７９】
本発明は、上述した実施形態に限られるものではなく、請求の範囲及び明細書全体から読み取れる発明の要旨或いは思想に反しない範囲で適宜変更可能であり、そのような変更を伴う誘電体記録再生装置もまた本発明の技術思想に含まれるものである。
【００８０】
【発明の効果】
以上、説明したように本発明の誘電体記録再生装置に用いられるピックアップ装置によれば、高周波電界のリターン電極がコンパクトかつ合理的に形成されているために、従来のリング状リターン電極と比較して、記録再生ヘッド部分を軽量かつ小型に構成することが可能となる。
【００８１】
また、記録再生ヘッドの駆動機構がコンパクトに構成され、製造が容易になると共に、記録再生の動作制御が正確、速やかに行うことができる。また、ジンバルサポートにより、記録再生ヘッドの誘電体記録媒体に対する追随性が優れ、安定した記録再生動作が可能となる。
【図面の簡単な説明】
【図１】本発明に係わるピックアップ装置の、回転型モータを用いた構成例を示す図であって、同図（ａ）はその平面図であり、同図（ｂ）はその側面図である。
【図２】本発明に係わるピックアップ装置の、リニアモータを用いた構成例を示す図であって、同図（ａ）はその平面図であり、同図（ｂ）はその側面図である。
【図３】ピックアップ装置の先端部を示す図であって、同図（ａ）はその拡大した図であり、同図（ｂ）は探針保持部を絶縁体で形成した（ａ）のＡ−Ａ断面図であり、同図（ｃ）は探針と探針保持部を一体として形成した（ａ）のＡ−Ａ断面図である。
【図４】ピックアップ装置の第一の例である。
【図５】ピックアップ装置の第二の例である。
【図６】ピックアップ装置の第三の例である。
【図７】本発明の誘電体記録再生装置に用いられる誘電体記録媒体の一例を示す図である。
【図８】本発明に係わる誘電体記録再生装置の記録再生信号処理に係わるブロック構成を示す図である。
【符号の説明】
１・・・誘電体記録媒体
１０１・・・内周エリア
１０２・・・記録エリア
１０３・・・外周エリア
４・・・センターホール
５・・・トラック
６・・・スペース
７・・・制御情報エリア
８・・・データエリア
１０・・・記録再生装置
１１・・・探針
１１ａ・・・カンチレバー
１２・・・リターン電極
１３・・・発振器
１５・・・基板
１６・・・電極
１７・・・誘電体材料
１８・・・基材
２０・・・誘電体記録媒体
３０・・・スイッチ
３１・・・記録信号入力部
３２・・・交流信号発生装置
３３・・・ＦＭ復調器
３４・・・検波器
３５・・・トラッキングエラー検出部
３６・・・トラックアドレス検出部
５０ａ、５０ｂ、５０ｃ、５０ｄ、５０ｅ・・・ピックアップ装置
５１・・・アーム
５２・・・ジンバル保持部
５３・・・ジンバル
５４・・・回転軸
５５ａ、５５ｂ・・・モータ
５６・・・カウンターウエイト
５７・・・ベース
【図１】
2004046933.tif 000003
【図２】
2004046933.tif 000004
【図３】
2004046933.tif 000005
【図４】
2004046933.tif 000006
【図５】
2004046933.tif 000007
【図６】
2004046933.tif 000008
【図７】
2004046933.tif 000009
【図８】
2004046933.tif 000010